(57)【要約】【課題】視覚的に把握可能な発生イベントの概要を簡便な方法で提供可能な発生イベント概要情報提供装置を提供すること。【解決手段】発生イベント概要情報提供装置は、イベントの発生を監視するイベント監視部と、イベント監視部が検出した各イベントのイベント情報を記憶するイベント情報記憶部と、イベント情報記憶部が記憶する第１の所定期間中に発生したイベントの各イベント情報に対応する色の画素から構成されたフレームを生成し、フレームを所定の画像圧縮方式又は動画像圧縮方式で圧縮するイベント圧縮部とを備える。【選択図】図１
2011186911.tif 000002
【特許請求の範囲】
【請求項１】
イベントの発生を監視するイベント監視部と、
前記イベント監視部が検出した各イベントのイベント情報を記憶するイベント情報記憶部と、
前記イベント情報記憶部が記憶する第１の所定期間中に発生したイベントの各イベント情報に対応する色の画素から構成されたフレームを生成し、前記フレームを所定の画像圧縮方式又は動画像圧縮方式で圧縮するイベント圧縮部と、
を備えたことを特徴とする発生イベント概要情報提供装置。
【請求項２】
請求項１に記載の発生イベント概要情報提供装置であって、
前記第１の所定期間は、一日又は一週間であることを特徴とする発生イベント概要情報提供装置。
【請求項３】
請求項１又は２に記載の発生イベント概要情報提供装置であって、
前記イベント情報は、イベントが発生した日時情報を含み、
前記イベント圧縮部は、前記フレームを生成する際、第２の所定時間を空けずに発生した複数のイベントの内、最初のイベントのイベント情報が含む日時情報を、複数の画素から構成されたブロックの先頭に割り当てることを特徴とする発生イベント概要情報提供装置。
【請求項４】
請求項１〜３のいずれか一項に記載の発生イベント概要情報提供装置であって、
前記イベント圧縮部は、イベントの識別情報と色情報が対応した情報を利用し、前記色情報は一画素を表すビット数の情報であることを特徴とする発生イベント概要情報提供装置。
【発明の詳細な説明】
【技術分野】
【０００１】
本発明は、視覚的に把握可能な発生イベントの概要を提供する発生イベント概要情報提供装置に関する。
【背景技術】
【０００２】
携帯電話等の携帯端末は、ユーザによる操作等の履歴（ログ）情報を内部のメモリに記録する。当該履歴には、ユーザがキーやタッチパネル等を操作した際の外部イベントと、電池の充電状態やメモリの使用状態等が所定のしきい値を超えた際の内部イベントとが含まれる。携帯端末は、イベント監視部及びイベント記録部を備える。イベント監視部は、イベントの発生を監視する。イベント監視部が何らかのイベントを検出すると、イベント記録部は、当該検出されたイベントに対応するイベントコード及び日時情報をイベント情報としてメモリに記録する。
【０００３】
但し、イベントの発生数が多いと、メモリに記録されるイベント情報がメモリ容量を圧迫する。したがって、イベント情報は、最終的には圧縮された状態でログ情報として保存される。例えば、特許文献３では、ファクシミリ通信を行う装置が情報を圧縮して、二次元コード等といった表示可能なコード情報に変換している。
【先行技術文献】
【特許文献】
【０００４】
【特許文献１】特許第２８１８３１１号公報
【特許文献２】特開２００２−６５５１６号公報
【特許文献３】特開２００９−１８８８４２号公報
【発明の概要】
【発明が解決しようとする課題】
【０００５】
携帯電話の利用のされ方は、ユーザの生活パターンに応じて、一日単位又は一週間単位のパターンで繰り返される傾向がある。このため、ログ情報は、一日単位又は一週間単位で類似する。圧縮された状態でメモリに保存されたログ情報は、携帯電話に故障等の何らかの問題が生じた際に用いられる。このとき、ログ情報を解析する解析装置と携帯電話が有線又は無線で通信可能に接続され、携帯電話から所定の装置にログ情報が送られる。上述したように、ログ情報は、発生した各イベントに対応するイベントコード及び各イベントが発生した日時情報を含む複数のイベント情報から構成された、いわゆるテキストデータである。したがって、解析装置は、所定のプログラムに基づいてログ情報を解析する。
【０００６】
上記説明したように、ログ情報を解析するためには、解析装置と携帯電話を通信可能に接続し、ログ情報を解析装置に転送し、解析装置が所定のプログラムを実行する必要がある。このように、ログ情報の解析には解析装置及び所定のプログラムが必要であるため、当該解析を行える場所は限定される。言い換えると、携帯電話単体ではログ情報の解析を行えない。また、上述したように、ログ情報はテキストデータとして保存されている。このため、携帯電話に対する問題のある使われ方等を視覚的に把握することはできない。
【０００７】
本発明の目的は、視覚的に把握可能な発生イベントの概要を簡便な方法で提供可能な発生イベント概要情報提供装置を提供することである。
【課題を解決するための手段】
【０００８】
本発明は、イベントの発生を監視するイベント監視部と、前記イベント監視部が検出した各イベントのイベント情報を記憶するイベント情報記憶部と、前記イベント情報記憶部が記憶する第１の所定期間中に発生したイベントの各イベント情報に対応する色の画素から構成されたフレームを生成し、前記フレームを所定の画像圧縮方式又は動画像圧縮方式で圧縮するイベント圧縮部と、を備えた発生イベント概要情報提供装置を提供する。
【０００９】
上記発生イベント概要情報提供装置では、前記第１の所定期間は、一日又は一週間である。
【００１０】
上記発生イベント概要情報提供装置では、前記イベント情報は、イベントが発生した日時情報を含み、前記イベント圧縮部は、前記フレームを生成する際、第２の所定時間を空けずに発生した複数のイベントの内、最初のイベントのイベント情報が含む日時情報を、複数の画素から構成されたブロックの先頭に割り当てる。
【００１１】
上記発生イベント概要情報提供装置では、前記イベント圧縮部は、イベントの識別情報と色情報が対応した情報を利用し、前記色情報は一画素を表すビット数の情報である。
【発明の効果】
【００１２】
本発明に係る発生イベント概要情報提供装置によれば、視覚的に把握可能な発生イベントの概要を簡便な方法で提供することができる。
【図面の簡単な説明】
【００１３】
【図１】一実施形態の携帯電話発生イベント概要情報提供装置の内部構成の一部を示すブロック図
【図２】各種の外部イベントと各外部イベントに対応するイベントコードの一例を示す図
【図３】各種の内部イベントと各内部イベントに対応するイベントコードの一例を示す図
【図４】イベント圧縮部１１１が生成するフレームの一例を示す図
【図５】フレームを構成する複数の領域の内の１つの分解図
【図６】イベントが発生した際の本実施形態の携帯電話の動作を示すフローチャート
【発明を実施するための形態】
【００１４】
以下、本発明の実施形態について、図面を参照して説明する。
【００１５】
図１は、一実施形態の携帯電話の内部構成の一部を示すブロック図である。図１に示す携帯電話は、外部イベント入力部１０１と、外部イベント監視部１０３と、内部イベント監視部１０５と、イベント記録部１０７と、バッファ１０９と、イベント圧縮部１１１と、メモリ１１３とを備える。
【００１６】
外部イベント入力部１０１は、キーやタッチパネル等のユーザが携帯電話を操作するための入力インターフェイスである。外部イベント監視部１０３は、外部イベント入力部１０１の操作による外部イベントの発生を監視する。なお、外部イベントとは、ユーザが外部イベント入力部１０１を操作した際のイベントである。図２は、各種の外部イベントと各外部イベントに対応するイベントコードの一例を示す図である。図２に示す対応表は、メモリ等に格納されている。外部イベント監視部１０３は、外部イベントを検出すると、検出した外部イベントに対応するイベントコードと、当該外部イベントを検出した日時情報とを含むイベント情報をイベント記録部１０７に送る。
【００１７】
内部イベント監視部１０５は、内部イベントの発生を監視する。なお、内部イベントとは、電池（図示せず）の充電状態やメモリ（図示せず）の使用状態等が所定のしきい値を超えた際のイベント、及び所定の外部イベントに応じたプロセス起動のイベント等である。図３は、各種の内部イベントと各内部イベントに対応するイベントコードの一例を示す図である。図３に示す対応表は、メモリ等に格納されている。内部イベント監視部１０５は、内部イベントを検出すると、検出した内部イベントに対応するイベントコードと、当該内部イベントを検出した日時情報とを含むイベント情報をイベント記録部１０７に送る。
【００１８】
イベント記録部１０７は、外部イベント監視部１０３又は内部イベント監視部１０５から送られたイベント情報を時系列でバッファ１０９に記録する。バッファ１０９は、イベント記録部１０７から送られたイベント情報の集合を非圧縮のログ情報として記憶する一時記憶部である。
【００１９】
イベント圧縮部１１１は、イベントコードと色コードが対応した対応表を参照して、バッファ１０９に記録された各イベント情報のイベントコードに対応した色の画素から構成されたフレームを生成する。イベントコードと色コードが対応した対応表では、異なるイベントコードに対して異なる色コードが対応付けられている。当該対応表は、携帯電話の図示しないメモリに格納されている。イベント圧縮部１１１が生成するフレームの詳細については後述する。
【００２０】
なお、携帯電話の利用のされ方は、ユーザの生活パターンに応じて、一日単位又は一週間単位のパターンで繰り返される傾向がある。このため、ログ情報は、一日単位又は一週間単位で類似する。本実施形態では、イベント圧縮部１１１が生成するフレームは、一日分又は一週間分のイベント情報の集合であるログ情報から生成される。
【００２１】
さらに、イベント圧縮部１１１は、生成したフレームを所定の画像圧縮方式又は動画像圧縮方式で圧縮し、圧縮ファイルをメモリ１１３に記録する。イベント圧縮部１１１が行う圧縮の詳細については後述する。メモリ１１３は、イベント圧縮部１１１によって生成された圧縮ファイル等を記憶する。
【００２２】
以下、イベント圧縮部１１１が生成するフレームについて詳細に説明する。図４は、イベント圧縮部１１１が生成するフレームの一例を示す図である。また、図５は、フレームを構成する複数の領域の内の１つの分解図である。図４に示すフレームは、ＷＶＧＡ（Wide VGA）のサイズであって、幅８００画素×高さ４８０画素の解像度を有する。本実施形態では、図４に示すように、当該フレームが２４０の領域に分割される。また、図５に示すように、１つの領域が２５のブロックから構成され、かつ、１つのブロックが６４の画素から構成される。
【００２３】
各画素にはイベントコード又は日時情報（タイムスタンプ）が割り当てられ、本実施形態では、１つの画素に１つのイベントコードが割り当てられる。本実施形態では、外部イベントと内部イベントを併せて、最大２５６種類のイベントコードが設定されている。したがって、一画素は８ビット（１バイト）で表され、一画素に対して１つのイベントが割り当てられる。但し、予め決められた重要なイベントに対しては複数の画素が割り当てられても良い。また、上述したように、異なるイベントコードには異なる色コードが対応付けられているため、本実施形態で設定可能な色は２５６（＝２８）種類である。
【００２４】
本実施形態では、２種類のタイムスタンプが利用される。一つは、日付情報と時間情報を含む４バイトの第１タイムスタンプである。第１タイムスタンプは４バイトであるため、４つの画素を占有する。なお、第１タイムスタンプは、図５に示したブロックの先頭の４バイトに割り当てられる。もう一つは、時間情報のみを含む２バイトの第２タイムスタンプである。第２タイムスタンプは２バイトであるため、２つの画素を占有する。第１タイムスタンプは、直前のイベント発生から次のイベント発生までに１分以上の時間が経過した際に、前記次のイベントに対して割り当てられる。一方、第２タイムスタンプは、直前のイベント発生から１分未満の間に発生したイベントに対して割り当てられる。
【００２５】
イベント圧縮部１１１は、所定期間分のイベント情報に応じたフレームを生成する際、図４に示したように、所定期間中の最初のイベント情報をフレームの中心付近の領域に記録する。イベント圧縮部１１１は、当該最初のイベント情報に続くイベント情報を、フレームの中心付近の領域から外縁に向かって時系列に割り当てる。なお、フレーム内におけるイベント情報の割り当ては、フレームの中心付近から外縁に向かう形態に限らず、左上から右下に向かう形態等であっても良い。
【００２６】
以下、イベント圧縮部１１１が行う圧縮について詳細に説明する。イベント圧縮部１１１は、例えば、一日分のログ情報に基づいて生成したフレームに対して可逆の画像圧縮を行い、日毎の画像圧縮ファイルをメモリ１１３に記録する。さらに、イベント圧縮部１１１は、メモリ１１３に記録された一週間分の画像圧縮ファイルを１つの動画像に変換する。なお、一週間分の画像圧縮ファイルを動画像ファイルに変換する際の圧縮方式は、例えば、非可逆の動画像圧縮方式である。この方法によれば、日毎のイベントの発生を色付きで示す動画像ファイルが週毎に生成される。なお、画像圧縮方式又は動画像圧縮方式は非可逆であっても良い。
【００２７】
なお、イベント圧縮部１１１は、一日分のログ情報に基づいて生成したフレームを画像圧縮せずに生データのままメモリ１１３に記録し、メモリ１１３に記録された一週間分のフレームの生データから１つの動画像を生成しても良い。なお、一週間分のフレームの生データから動画像ファイルを生成する際には、例えば、非可逆の動画像圧縮方式が用いられる。この方法によっても、日毎のイベントの発生を色付きで示す動画像ファイルが週毎に生成される。なお、動画像圧縮方式は非可逆であっても良い。
【００２８】
図６は、イベントが発生した際の本実施形態の携帯電話の動作を示すフローチャートである。図６に示すように、外部イベントが発生した際には外部イベント監視部１０３が、内部イベントが発生した際には内部イベント監視部１０５が、イベント情報をイベント記録部１０７に送る（ステップＳ１０１）。次に、イベント記録部１０７は、外部イベント監視部１０３又は内部イベント監視部１０５から送られたイベント情報をバッファ１０９に記録する（ステップＳ１０３）。次に、イベント圧縮部１１１は、バッファ１０９に記録されたログ情報からフレームを生成した上で所定の圧縮方式で圧縮し、メモリ１１３に記録する（ステップＳ１０５）。
【００２９】
以上説明したように、本実施形態によれば、所定期間毎のイベントの発生を色付きで示す動画像ファイルが生成される。このため、携帯電話が動画像ファイルを再生することができれば、当該携帯電話のユーザは、イベントの発生を視覚的に把握することができる。また、イベントの概要を把握するだけであれば、解析装置等の特別な装置は不要であり、携帯電話単体で可能である。このため、当該把握のために場所は限定されない。
【００３０】
なお、上記説明では、フレームのサイズがＷＶＧＡである場合を一例として挙げられているが、ＦＷＶＧＡ（フルワイドＶＧＡ）であっても良い。なお、フレームのサイズは、一日又は一週間といった所定期間中に発生し得るイベントに対して十分な画素数があれば、上記サイズに限らない。
【００３１】
また、上記説明では、異なるイベントコードに対して異なる色が対応付けられるため、フレームを構成する画素の内、異なるイベントが記録された画素の色はそれぞれ異なる。他の実施形態として、異なるイベントコードに対して異なる模様を対応付けても良い。この場合、フレームを構成する画素の内、異なるイベントが記録された画素の模様はそれぞれ異なる。
【産業上の利用可能性】
【００３２】
本発明に係る発生イベント概要情報提供装置は、視覚的に把握可能なイベント発生の概要を簡便な方法で提供可能な携帯電話等として有用である。
【符号の説明】
【００３３】
１０１  外部イベント入力部
１０３  外部イベント監視部
１０５  内部イベント監視部
１０７  イベント記録部
１０９  バッファ
１１１  イベント圧縮部
１１３  メモリ
【図１】
2011186911.tif 000003
【図２】
2011186911.tif 000004
【図３】
2011186911.tif 000005
【図４】
2011186911.tif 000006
【図５】
2011186911.tif 000007
【図６】
2011186911.tif 000008